(57)【特許請求の範囲】
【請求項１】
蔓性植物が電柱を支持する支線を伝って電線に巻き上がることを抑制する蔓性植物巻き上がり抑制装置であって、
蔓性植物の成長を抑制させる成分を含有する成分坦持体を収容した成長抑制部と、
前記支線に設置した成長抑制部へ雨水を該成長抑制部に導入する給水部と、
前記成分坦持体から蔓性植物の成長を抑制する成分が溶出した雨水を排出する排水部と、
前記排水部から排出された雨水を前記支線に伝わらせる導水部と、
を備えたことを特徴とする蔓性植物巻き上がり抑制装置。
【請求項２】
前記成長抑制部は、蔓性植物の成長を抑制するアレロパシー（他感作用）物質の成分を収容されていることを特徴とする請求項１に記載の蔓性植物巻き上がり抑制装置。
【請求項３】
前記成長抑制部は、成分坦持体であるスギ科、イネ科（タケ亜科）、マツ科、タデ科（ソバ属）やアカネ科（コーヒーノキ属）から選択された一種類または複数の種類の組合せのウッドチップを収容することを特徴とする請求項１または２に記載の蔓性植物巻き上がり抑制装置。
【請求項４】
前記導水部は、
下端の頂点に支線を取り囲む開口部を有し雨水を前記支線へと導くすり鉢部と、
前記排水部から前記すり鉢部に連通する連通孔とからなり、
前記排水部から排出された雨水を前記連通孔を介して前記すり鉢部の開口部から前記支線に伝わらせることを特徴とする請求項１から３のいずれか１項に記載の蔓性植物巻き上がり抑制装置。
【請求項５】
前記導水部は、
支線を取り囲む開口部と、
前記排水部から排出された雨水が流入する連通孔と、
前記開口部と前記連通孔とを連通させ、前記開口部にいたるまで前記支線から雨水を隔離する流路とを備えることを特徴とする請求項１から３のいずれか１項に記載の蔓性植物巻き上がり抑制装置。
【請求項６】
さらに前記開口部には該開口部から延伸されて支線に接触する水伝達部材を備え、該水伝達部材は前記開口部から流出した雨水を前記支線へと伝達することを特徴とする請求項４または請求項５に記載の蔓性植物巻き上がり抑制装置。
【請求項７】
支線に常設される土台部をさらに備え、
前記成長抑制部は、前記土台部に対して着脱可能に構成されていることを特徴とする請求項１から６のいずれか１項に記載の蔓性植物巻き上がり抑制装置。
【請求項８】
前記土台部は、前記成長抑制部に対して支線の防水隔壁をなすよう該支線を被覆することを特徴とする請求項７に記載の蔓性植物巻き上がり抑制装置。
【請求項９】
前記土台部は、
下端に支線を中心とする円柱部と、
支線を内包する厚さの断面矩形状であり、前記成長抑制部を着脱させる装着部と、
を備え、
前記成長抑制部は断面略Ｃ字状の直線挿引形状であり、
前記成長抑制部は前記断面Ｃ字状の凹部と前記土台部の装着部とを嵌合することにより取り付けられることを特徴とする請求項７または請求項８に記載の蔓性植物巻き上がり抑制装置。
【請求項１０】
前記成長抑制部はその外面が前記土台部の円柱部と連続する円柱形であって、かつ該成長抑制部の外面の表面は平滑であることを特徴とする請求項７から９のいずれか１項に記載の蔓性植物巻き上がり抑制装置。
【請求項１１】
前記成長抑制部は、直径３０ｃｍ以上の円柱形であることを特徴とする請求項１から１０のいずれか１項に記載の蔓性植物巻き上がり抑制装置。
【請求項１２】
蔓性植物が電柱を支持する支線を伝って電線に巻き上がることを抑制する蔓性植物巻き上がり抑制方法であって、
前記蔓性植物の成長抑制成分を有する成分坦持体のウッドチップを収容した成長抑制部を支線に取り付け、成長を抑制させる成分が溶出した雨水を支線に伝わらせることを特徴とする蔓性植物巻き上がり抑制方法。
【発明の詳細な説明】
【技術分野】
【０００１】
本発明は、蔓性植物が電柱を支持する支線に巻き上がることを抑止する蔓性植物巻き上がり抑制装置および蔓性植物巻き上がり抑制方法に関するものである。
【背景技術】
【０００２】
従来、電柱には電柱間の電線ケーブルの張力などで倒壊や傾斜してしまうことを防止するために、鋼線からなる支線や傾斜させて固定した支柱を設置している。例えば支線を設置する場合は、電線ケーブルの張力などによる電柱が受ける力と、地面における電柱から支線までの距離と、をそれぞれ求め、これらの関係から支線に加える張力を算出し、その算出した張力の値で支線を設置する。したがって支線は、電柱を立てた状態に保つという重要な役割を持っている。
【０００３】
電柱と支線を設置する場所として、例えば雑草が生い茂る草むらを選んだ場合、支線を設置してしばらく放置すると、葛や蔦などの蔓性植物が支線に巻き上がって成長していることがある。この蔓性植物がさらに成長して支線から電柱、そして電線に接近または接触すると、蔓性植物を介して短絡や地絡などの設備事故が発生する危険がある。また、蔓性植物が支線を覆うと、外観からの目視による支線の錆、たるみなどの状態確認が困難である。これらの問題が起こらないように、支線に巻き上がっている蔓性植物や支線が地面に打ち込まれている近傍の蔓性植物を定期的に人の手で伐採している。しかし、支線を設置している場所が非常に多く、また蔓性植物の繁殖スピードも早いため、特に夏場は伐採を頻繁に実施しなければならないので、伐採する費用（主として人件費）が膨大になってしまう。
【０００４】
ここで、例えば特許文献１では、蔓性植物が支線を伝って電柱まで達しないよう、支線の周囲に蔓性植物が巻き付く事のできないほどの太い径且つ長い筒状物を設置する巻き上がり防止装置の技術が公開されている。これにより蔓性植物の巻き上がりを物理的に阻止し、巻き上がり防止装置の位置よりも蔓性植物が巻き上がることを防止しようとしている。
【０００５】
また、植物の中には、アレロパシー効果（他感作用：他の植物や微生物、昆虫に対して阻害的あるいは促進的な何らかの作用を及ぼすこと）を有する化学物質を備えているものがある。この性質を利用して、アレロパシー効果を有すると思われる樹木のウッドチップを対象区域の土壌に混入し、雑草の成長を抑制する方法が公開されている（例えば特許文献２）。
【特許文献１】特開平１１−３５０７９１号公報
【特許文献２】特開２００５−０６８０１８号公報
【発明の開示】
【発明が解決しようとする課題】
【０００６】
上記のように蔓性植物に対しては、従来からさまざまな対策が講じられている。しかし特許文献１の構成では、蔓性植物が巻き上がり防止装置の手前まで蔓性植物が巻き上がり、やがて巻きついたまま枯れてしまう。これを繰り返すことにより枯れた蔓を伝ってより高く登り、やがて巻き上がり防止装置を乗り越えてしまう。巻き上がり防止装置よりも上にある支線に巻き付くと、支線には他に障害となるものがなく、地絡などの障害を生じてしまうおそれがあった。また、このような状態になると高い位置の植物を除去する必要があり、作業も困難になるという問題があった。
【０００７】
また、特許文献２では、雑草の成長を抑制（阻害）しようとアレロパシー（他感作用）効果を有する樹木のウッドチップを対象区域の土壌に混入しても、周辺の雑草や灌木をつたって蔓性植物が巻き上がり、支線の途中から巻き付いてしまう場合があった。また、支線を設置する毎に周辺の植物を伐採して土壌にウッドチップを混入する作業は労が多大であり、定期的な伐採に比して労力が軽減されるとはいえないものであった。
【０００８】
さらに、蔓性植物を抑制するアレロパシー効果を有する樹木のウッドチップを対象区域の土壌に混入しても、ウッドチップはいずれ成分が枯渇して効力を失うため、再度新しいウッドチップを土壌に混入しなくてはならない。このメンテナンスも無視できない多大な労力を必要とするという問題もある。
【０００９】
本発明は、このような課題に鑑み、蔓性植物の成長を抑制する成分を用いることで、支線に巻き上がる蔓性植物を抑制することが可能な蔓性植物巻き上がり抑制装置を提供することを目的としている。
【課題を解決するための手段】
【００１０】
上記課題を解決するために、本発明にかかる蔓性植物巻き上がり抑制装置の代表的な構成は、蔓性植物が電柱を支持する支線を伝って電線に巻き上がることを抑制する蔓性植物巻き上がり抑制装置であって、蔓性植物の成長を抑制させる成分を含有する成分坦持体を収容した成長抑制部と、支線に設置した成長抑制部へ雨水を成長抑制部に導入する給水部と、成分坦持体から蔓性植物の成長を抑制する成分が溶出した雨水を排出する排水部と、排水部から排出された雨水を支線に伝わらせる導水部と、を備えたことを特徴とする。
【００１１】
かかる構成により、成長抑制部に収容した成長抑制成分を雨水に溶出させて蔓性植物に与えることができる。これにより蔓性植物が支線を巻き上がることを抑止し、もしくは巻き上がった蔓性植物を早期に衰退させるために、蔓性植物の伐採を行う必要がない。したがって蔓性植物による短絡や地絡などの設備事故を未然に防ぐことが可能となる。
【００１２】
成長抑制部は、蔓性植物の成長を抑制するアレロパシー（他感作用）物質の成分を収容されてもよい。また成長を抑制する成分として、農薬のような薬品を用いてもよいし、天然素材から成長抑制成分を含有する成分坦持体の成分を抽出して濃縮した薬品を用いてもよい。ただし、周辺土壌などの環境に配慮することがさらに望ましい。したがって成長を抑制する成分として天然素材である植物のエキスが含有するアレロパシー物質の成分を利用することにより、環境に対して悪い影響を与えずに蔓性植物の成長を抑止する効果を得ることが可能である。
【００１３】
成長抑制部は、成分坦持体であるスギ科、イネ科（タケ亜科）、マツ科、タデ科（ソバ属）やアカネ科（コーヒーノキ属）から選択された一種類または複数の種類の組合せのウッドチップを収容してもよい。これらの種類の木材はアレロパシー物質の成分を有しており、蔓性植物の成長を抑制する効果を発揮するためである。
【００１４】
導水部は、下端の頂点に支線を取り囲む開口部を有し雨水を支線へと導くすり鉢部と、排水部からすり鉢部に連通する連通孔とからなり、成長抑制部の排水部から排出された雨水を連通孔を介してすり鉢部の開口部から支線に伝わらせてもよい。かかる構成により、成長抑制部から排出された雨水をすり鉢部で集めて支線に伝わせることができる。これにより、支線を巻き上がる蔓性植物に確実に成長抑制成分を与えることができる。
【００１５】
導水部は、支線を取り囲む開口部と、排水部から排出された雨水が流入する連通孔と、開口部と連通孔とを連通させ、開口部にいたるまで支線から雨水を隔離する流路（穴）とを備えてもよい。かかる構成によっても、成長抑制部から排出された雨水を確実に支線に伝わせることができる。さらに、開口部から出るまでは雨水が支線に直接触れないため、支線に錆や腐食などが発生することを防ぐことが可能となる。
【００１６】
さらに開口部には、開口部から延伸されて支線に接触する水伝達部材を備え、水伝達部材が開口部から流出した雨水を支線へと伝達するように構成してもよい。これにより、開口部から流出した雨水を確実に支線に伝わらせることができ、蔓性植物に確実に成長抑制成分を与えることができる。
【００１７】
支線に常設される土台部をさらに備え、成長抑制部は、土台部に対して着脱可能に構成されてもよい。かかる構成により、土台部から成長抑制部を着脱することができるので、成長抑制部が使用により効力を失った場合には、成長抑制部のみを容易に交換することができ、作業性を向上させることが可能である。
【００１８】
土台部は、成長抑制部に対して支線の防水隔壁をなすよう支線を被覆してもよい。成長抑制部は雨水を通液するために比較的長く水分を保持するが、土台部が成長抑制部と支線とを隔離することにより、支線に錆や腐食などが発生することを防ぐことができる。
【００１９】
土台部は、下端に支線を中心とする円柱部と、支線を内包する厚さの断面矩形状であり、成長抑制部を着脱させる装着部と、を備え、成長抑制部は断面略Ｃ字状の直線挿引形状であり、成長抑制部は断面Ｃ字状の凹部と土台部の装着部とを嵌合することにより取り付けられていてもよい。円柱形の形状を有する土台部は、蔓性植物が土台部に巻き上がることを防止することが可能となる。
【００２０】
成長抑制部はその外面が土台部の円柱部と連続する円柱形であって、かつ成長抑制部の外面の表面は平滑であってもよい。成長抑制部の外面を平滑にすることで蔓性植物が成長抑制部に巻き上がる際に必要である絡みつく足場を平滑にすることでなくし、蔓性植物の巻き上がりを抑制することが可能である。
【００２１】
成長抑制部は、直径３０ｃｍ以上の円柱形であってもよい。たとえ、蔓性植物が成長抑制部の下部まで支線を巻き上がったとしても、成長抑制部は蔓性植物が成長抑制部を巻くことができない直径であるため、蔓性植物が成長抑制部を乗り越えることなく抑制することが可能となる。
【００２２】
本発明の他の代表的な構成は、蔓性植物が電柱を支持する支線を伝って電線に巻き上がることを抑制する蔓性植物巻き上がり抑制方法であって、蔓性植物の成長抑制成分を有する成分坦持体のウッドチップを収容した成長抑制部を支線に取り付け、成長抑制成分が溶出した雨水を支線に伝わらせることを特徴とする。
【００２３】
上述した蔓性植物が電柱を支持する支線を伝って電線に巻き上がることを抑制する技術的思想に基づく構成要素やその説明は、当該蔓性植物巻き上がり抑制方法にも適用可能である。
【発明の効果】
【００２４】
本発明によれば、蔓性植物の成長を抑制する成分を雨水に溶出させ、支線を伝わらせて蔓性植物に与えることができる。これにより蔓性植物が支線を巻き上がることを抑止し、もしくは巻き上がった蔓性植物は早期に衰退するために、蔓性植物の伐採を行う必要がない。したがって蔓性植物による短絡や地絡の設備事故を未然に防ぐことが可能となる。
【発明を実施するための最良の形態】
【００２５】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２６】
（第１実施形態）
図１は本実施形態にかかる蔓性植物巻き上がり抑制装置の使用態様図である。図１に示すように、電柱１１０には、電柱間の電線１２０の張力などで倒壊や傾斜してしまうことを防止するために、鋼線からなる支線１３０が設置されている。この支線１３０の中途部には、本実施形態にかかる蔓性植物巻き上がり抑制装置（以下「抑制装置１００」という。）が設置されている。支線１３０には、地面に設置されている付近から蔓性植物１４０が上部に向かって巻き上がりながら成長している。
【００２７】
図２は抑制装置の外観斜視図、図３は成長抑制部と土台部とを分離させた状態を示す図、図４は抑制装置の断面図であって図２のＡ−Ａ断面図である。各図において抑制装置１００は、上側を支線上部方向、下側を支線下部方向（地面方向）として図示している。支線１３０にこの抑制装置１００を固定するため、円柱の上面の中心と下面の中心とを支線１３０が通るよう設定する。
【００２８】
抑制装置１００は、蔓性植物の成長を抑制させる成分を有する成長抑制部１５０と、支線１３０に常設され成長抑制部１５０を着脱可能に装着しうる土台部１６０とを備えている。
【００２９】
図３に示すように、成長抑制部１５０は、支線に設置した成長抑制部１５０へ降り注ぐ雨水を成長抑制部に導入する給水部１８０と、成分坦持体から蔓性植物の成長を抑制する成分が溶出した雨水を排出する排水部１９０と、排水部１９０から排出された雨水を支線に伝わらせる導水部１７０とによって構成されている。
【００３０】
給水部１８０は、成長抑制部１５０の上面に設けられた複数の孔であって、成長抑制部１５０または土台部１６０に降り注ぐ雨水を成長抑制部１５０の内部に導入する。排水部１９０は成長抑制部１５０の下面に設けられた複数の孔であって、成長抑制部１５０内から雨水を排出する。
【００３１】
成長抑制部１５０は中空の容器であって、内部に蔓性植物の成長を抑制する成分が収容されている。具体的には、蔓性植物の成長を抑制する成分を有する木材のウッドチップが収容されている（詳細については後述する）。木材の種類としては蔓性植物の成長を抑制するアレロパシー（他感作用）物質の成長抑制成分を有する成分坦持体であればよく、例えばスギ科、イネ科（タケ亜科）、マツ科、タデ科（ソバ属）やアカネ科（コーヒーノキ属）から選択された一種類または複数の種類の組合せのウッドチップを用いることができる。
【００３２】
また山間部の電柱設置工事においては、上述したような木々を伐採した後、焼却処分するためにチップ状に破砕している。したがって破砕したウッドチップを成長抑制部に収容すれば、不要となった木々を処分することなく伐採した木の有効活用を行うことができるとともに、蔓性植物の成長を抑制することが可能となる。
【００３３】
図５は成長抑制部１５０の分解図である。図５に示すように、成長抑制部１５０の上面は蓋２１０となっており、この蓋２１０を開閉することにより内包したウッドチップ２００を交換することができる。なお、蓋２１０は複数の孔である給水部１８０を含んでいる。これにより、成長抑制部１５０を交換した際にはさらに内部に収容したウッドチップ２００のみを交換し、蓋２１０と容器２２０の再利用が可能であるため、ランニングコストの低減を図ることができる。
【００３４】
なお、成長抑制成分として、農薬のような薬品を用いてもよいし、天然素材から成分を抽出して濃縮した薬品を用いてもよい。薬品はゲル状に固めて徐々に雨水に溶けるようにしてもよいし、木材その他の多孔質にしみこませておくことにより徐々に排出されるよう構成してもよい。ただし、周辺土壌などの環境に配慮すれば天然素材を用いることが望ましく、植物のエキスが含有するアレロパシー物質の成分を利用することにより、環境に対して悪い影響を与えずに蔓性植物の成長を抑止する効果を得ることが好ましい。
【００３５】
導水部１７０は、本実施形態では土台部１６０の一部として構成されている。図３および図４に示すように、導水部１７０は、雨水を支線１３０へと導くすり鉢部２３０と、排水部１９０からすり鉢部２３０に連通する連通孔２４０とからなる。すり鉢部２３０の下端の頂点には、支線１３０を取り囲む開口部２５０を有している。そして、開口部２５０には、支線１３０に雨水を伝達させる水伝達部材２７０を嵌合している（図６参照）。水伝達部材２７０は開口部から延伸されて支線に接触する舌状部を備えている。舌状部は中心に放射状の切欠を有する、いわゆる菊割の形状となっており、弾性と可撓性を有することにより支線に確実に接触することができる。したがって成長抑制部１５０の排水部１９０から排出された雨水は、連通孔２４０を介してすり鉢部２３０に導かれ、下端の開口部２５０に嵌合している水伝達部材２７０から流出することにより支線１３０を伝わって流下する。
【００３６】
上記構成によれば、成長抑制部１５０に収容した成長抑制成分を雨水に溶出させて蔓性植物に与えることができる。これにより蔓性植物が支線１３０を巻き上がることを抑止し、もしくは巻き上がった蔓性植物を早期に衰退させるために、蔓性植物の伐採を行う必要がない。したがって蔓性植物による短絡や地絡などの設備事故を未然に防ぐことが可能となる。
【００３７】
次に、成長抑制部１５０の着脱構成について説明する。図６は土台部の構成を説明する図である。図６に示すように、土台部１６０は支線１３０に沿って縦に２分割されており、支線１３０に滑り止め部材１６２を噛合させた後に、両方の躯体１６０ａ、１６０ｂを組み合わせることによって支線１３０に常設される。
【００３８】
成長抑制部１５０は、土台部１６０に着脱可能に装着することができる。土台部１６０の成長抑制部を着脱させる装着部１６４は支線１３０を内包する厚さの断面矩形状であり、一方、成長抑制部１５０は断面略Ｃ字状の直線挿引形状（平面図形を直線的に移動させた場合に軌跡が描く立体形状）であって、成長抑制部は断面Ｃ字状の凹部１５２と土台部１６０の装着部１６４とを嵌合することにより取り付けられる。
【００３９】
また、成長抑制部１５０の下底部には径の小さな段部１５４を形成しており、これに対応して土台部１６０には段部１５４と嵌合するよう立設された縁１６６を設ける。したがって成長抑制部１５０は、凹部１５２と装着部１６４とを嵌合させた後に下方に摺動させ、さらに段部１５４と縁１６６とを嵌合させることによって固定される構成となっている。
【００４０】
これにより成長抑制部１５０を土台部１６０に確実に保持させることができ、風や自重などで落下することを防止することができる。また、成長抑制部１５０の上端と土台部１６０の装着部１６４の上部との間に隙間が形成されるため、この隙間より雨水が浸入し、成長抑制部１５０の給水部１８０の中に適度に雨水を供給することができる。
【００４１】
また、段部１５４が縁１６６に内挿される構造となっていることにより、成長抑制部１５０の排水部１９０から排出された雨水は、漏れることなく確実に連通孔２４０へと流入する。したがって成長抑制成分の溶出した雨水を無駄なく支線１３０へと伝わせることができる。
【００４２】
一方、土台部１６０の装着部１６４は、成長抑制部１５０に対して支線１３０の防水隔壁をなすよう支線１３０を被覆している。成長抑制部１５０は雨水を通液するために比較的長く水分を保持するが、土台部１６０が成長抑制部１５０と支線１３０とを隔離することにより、支線１３０に錆や腐食などが発生することを防ぐことができる。
【００４３】
上記構成により、土台部１６０から成長抑制部１５０を着脱することが可能となっている。したがって成長抑制部１５０が使用により効力を失った場合には、成長抑制部１５０のみを容易に交換することができ、メンテナンスの作業性を向上させることができる。
【００４４】
また抑制装置１００は、成長抑制成分による巻き上がり防止のみでなく、物理的な巻き上がり防止の作用も有している。
【００４５】
土台部１６０は、下端に支線１３０を中心とする円柱部２６０（図２、図３および図４参照）を備えている。このように円柱形の形状を有する土台部１６０は、蔓性植物が土台部１６０に巻き上がることを防止することが可能となる。また成長抑制部１５０はその外面が円柱形であって、土台部１６０に装着することによって、その円柱部２６０と外面が連続する形状となっている。土台部１６０および成長抑制部１５０は直径３０ｃｍ以上の円柱形となっており、たとえ蔓性植物が成長抑制部１５０の下部まで支線を巻き上がったとしても、成長抑制部１５０は蔓性植物が巻き上がることができない直径であるため、蔓性植物が成長抑制部１５０を乗り越えることなく抑制することが可能となる。
【００４６】
さらに土台部１６０および成長抑制部１５０の外面の表面は平滑に形成されている。これらの外面を平滑にすることで蔓性植物が巻き上がる際に必要である絡みつく足場をなくし、蔓性植物の巻き上がりをさらに抑制することが可能である。
【００４７】
なお、成長抑制部１５０を土台部１６０に装着した際に、それぞれの径の違いによる段差がなるべく生じないことが好ましい。したがって土台部１６０の円柱部２６０と成長抑制部１５０の外径はほぼ等しいことが望ましいが、成長抑制部１５０に段部１５４を持たせず円柱形のまま土台部１６０に嵌合できるようにするため、土台部１６０の縁１６６の内径よりも成長抑制部１５０の円柱形の直径が小さくなるよう設定してもよい。
【００４８】
（抑制方法）
ここで、図４および図７を用いて蔓性植物巻き上がり抑制方法について説明する。図７は、蔓性植物１４０の成長を抑制する過程を説明する図である。
【００４９】
図４に示すように、蔓性植物１４０の成長抑制成分を有する成分坦持体のウッドチップ２００を収容した成長抑制部１５０を支線１３０に取り付ける。抑制装置１００に降り注いだ雨水は、成長抑制部１５０の上端と装着部１６４の上部との隙間から浸水し、給水部１８０を通過して成長抑制部１５０の内部に通液する。雨水が成長抑制部１５０の内部を通過する間に、成長抑制部１５０の容器２２０に収容されているウッドチップ２００から成長抑制成分が溶出する。そして、成長抑制成分が溶解した雨水は排水部１９０から排出され、連通孔２４０を介してすり鉢部２３０の開口部２５０に嵌合している水伝達部材２７０から流出することにより支線１３０を伝わって流下する。
【００５０】
上記の如くして、成長抑制成分を含有する雨水を支線１３０に伝わせることができるので、支線１３０を巻き上がる蔓性植物１４０に確実に成長抑制成分を与えることができる。
【００５１】
図７（ａ）に示すように、蔓性植物１４０は支線１３０を巻き上がって成長する。しかし、雨が降る度に成長抑制成分が蔓性植物に供給されることから、図７（ｂ）に示すように衰退し、抑制装置１００を超えて成長することがない。これにより蔓性植物１４０による短絡や地絡の設備事故を未然に防ぐことができ、蔓性植物の伐採を行う必要がない。
【００５２】
（実施例と比較例）
上記構成の抑制装置１００について、効果を実証するための実験を行った。図８は実施例と比較例の結果を説明する図である。成長抑制部１５０にウッドチップ２００として杉３００、竹３０２、竹とコーヒー３０４、松３０６、そば３０８を収容したもの、および比較例としてウッドチップ２００を収容していない空３１０のものを準備した。表の左側の日付３２０は、計測した日（月/日）を表しており、約４ヶ月間の蔓性植物の成長を観察した。
【００５３】
判定基準は、抑制装置１００と蔓性植物１４０との距離から判定している。判定基準を、１ｍ以上とする１点、１ｍから０．５ｍを２点、０．５ｍから０．３ｍを３点、０．３ｍから０．１ｍを４点、抑制装置に接触した場合は５点、抑制装置に巻き上がったまたは越えたものを６点とし、条件に応じた点数の設定をして判定を行った。
【００５４】
図８に示すように、杉３００、竹３０２、竹とコーヒー３０４、松３０６そしてそば３０８は、少なくとも１回は判定が６点になっている。しかし日数が経過すると判定が下がる傾向にあり、例えば杉３００では、７月３１日の判定は６点であったが、９月２６日には抑制装置１００と蔓性植物１４０との距離が広がっており、判定が１点となっている。他の材質のウッドチップ２００においても、判定は上がった後に下がる場合があることがわかる。
【００５５】
一方、比較対象とした空３１０の判定は、７月２０日から１０月１７日まで６点のままであり、変化はみられなかった。したがってこのデータから、抑制装置１００を使用しての杉３００、竹３０２、竹とコーヒー３０４、松３０６そしてそば３０８は、蔓性植物１４０が巻き上がることを抑制、そして減衰させる効果があることが確認できた。
【００５６】
（第２実施形態）
本実施形態にかかる抑制装置の第２実施形態について説明する。図９は第２実施形態にかかる蔓性植物巻き上がり抑制装置を説明する図であって、上記第１実施形態と説明の重複する部分については同一の符号を付して説明を省略する。
【００５７】
上記第１実施形態においては、導水部１７０にすり鉢部２３０を備えるように説明した。しかしすり鉢部２３０の内部は水分が多くなることが予想され、支線１３０に錆が生じてしまうおそれがある。そこで本実施形態においては、さらに支線１３０に対する防錆効果を向上させた物である。
【００５８】
図９に示す蔓性植物巻き上がり抑制装置（以下「抑制装置４００」という。）において、導水部４１０は、支線１３０を取り囲む開口部４２０と、排水部１９０から排出された雨水が流入する連通孔２４０と、開口部４２０と連通孔２４０とを連通させる流路４３０とを備えている。そして、開口部４２０には、支線１３０に雨水を伝達させる水伝達部材４４０を嵌合している。成長抑制部１５０の排水部１９０から排出された雨水は、連通孔２４０から流路４３０を通って開口部４２０に至り、水伝達部材４４０から支線１３０を伝って流下して蔓性植物１４０に供給される。
【００５９】
上記構成によっても、第１実施形態と同様に成長抑制部１５０から排出された雨水を確実に支線１３０に伝わせることができる。さらに、雨水によって水分を多く含んだ成長抑制部１５０と支線１３０が直接触れないため、支線１３０に錆や腐食などが発生することを防ぐことが可能となる。
【００６０】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６１】
本発明は、蔓性植物が電柱を支持する支線に巻き上がることを抑止する蔓性植物巻き上がり抑制装置および蔓性植物巻き上がり抑制方法に利用することができる。
【図面の簡単な説明】
【００６２】
【図１】第１実施形態にかかる蔓性植物巻き上がり抑制装置の使用態様図である。
【図２】蔓性植物巻き上がり抑制装置の外観斜視図である。
【図３】成長抑制部と土台部とを分離させた状態を示す図である。
【図４】抑制装置の断面図である。
【図５】第１実施形態にかかる成長抑制部の分解図である。
【図６】土台部の構成を説明する図である。
【図７】蔓性植物の成長を抑制する過程を説明する図である。
【図８】実施例と比較例の結果を説明する図である。
【図９】第２実施形態にかかる蔓性植物巻き上がり抑制装置を説明する図である。
【符号の説明】
【００６３】
１００、４００…抑制装置、１１０…電柱、１２０…電線、１３０…支線、１４０…蔓性植物、１５０…成長抑制部、１５２…凹部、１５４…段部、１６０…土台部、１６２…滑り止め部材、１６４…装着部、１６６…縁、１７０、４１０…導水部、１８０…給水部、１９０…排水部、２００…ウッドチップ、２１０…蓋、２２０  …容器、２３０…すり鉢部、２４０…連通孔、２５０、４２０…開口部、２６０  …円柱部、２７０、４４０  水伝達部材、３００…杉、３０２…竹、３０４…竹とコーヒー、３０６…松、３０８…そば、３１０…空、３２０…日付、４３０…流路
【図１】
0005018525.tif 000002
【図２】
0005018525.tif 000003
【図３】
0005018525.tif 000004
【図４】
0005018525.tif 000005
【図５】
0005018525.tif 000006
【図６】
0005018525.tif 000007
【図７】
0005018525.tif 000008
【図８】
0005018525.tif 000009
【図９】
0005018525.tif 000010